(57)【要約】【課題】ユーザの利便性を向上させた撮影を行うことのできる端末装置を提供することを目的とする。【解決手段】端末装置は、撮影により逐次生成された画像から人物の顔を検出する顔検出部と、撮影のための焦点合わせを行う合焦機構と、前記合焦機構の制御を行う制御部とを備え、前記制御部は、前記顔検出部の検出動作が開始されてから初めて顔が検出されると前記合焦機構に対して焦点合わせを行うよう制御し、当該焦点合わせ後において前記顔検出部で顔が検出されなくなるまでは前記合焦機構に対して焦点合わせを抑止するよう制御し、再度顔が検出されると前記合焦機構に対して再度焦点合わせを行うよう制御する。【選択図】図２
2011234015.tif 000002
【特許請求の範囲】
【請求項１】
画像から人物の顔を検出する顔検出部と、
焦点合わせを行う合焦機構と、
前記合焦機構の制御を行う制御部とを備え、
前記制御部は、前記顔検出部の検出動作により顔が検出されていない状態から検出された状態になると前記合焦機構に対して焦点合わせを行うよう制御し、当該焦点合わせ後において前記顔検出部で顔が検出されなくなるまでは前記合焦機構に対して焦点合わせを抑止するよう制御する
ことを特徴とする端末装置。
【請求項２】
前記合焦機構は、
前記制御部から焦点合わせの指示を受け付けると、顔検出部で検出された顔に対する焦点距離を変更しながら、当該顔の鮮明さが最適となる焦点距離を特定する
ことを特徴とする請求項１に記載の端末装置。
【請求項３】
前記端末装置は、さらに、
前記顔検出部で検出された一の顔に対して笑顔を検出する笑顔検出部を備え、
前記制御部は、さらに、前記合焦機構による焦点合わせがなされた後、前記笑顔検出部で前記一の顔に対する笑顔が検出されると、笑顔が検出された画像を所定の記憶領域に保存する
ことを特徴とする請求項２に記載の端末装置。
【請求項４】
前記顔検出部は、前記画像中の少なくとも１つ以上の顔を検出し、
前記制御部は、前記顔検出部により少なくとも１つ以上の顔が検出されている場合に、前記顔が検出されている状態と判定する
ことを特徴とする請求項１から３の何れかに記載の端末装置。
【発明の詳細な説明】
【技術分野】
【０００１】
本発明は、カメラ機能を備えた端末装置での撮影時における焦点合わせの技術に関する。
【背景技術】
【０００２】
近年、カメラ機能に顔認識を備えた端末装置が登場している。
この端末装置では、撮影時において顔認識により被写体の顔を検出すると、検出した顔に焦点を自動的に合わせ、撮影を行う。
顔認識を備えたカメラ機能における焦点合わせの技術が、特許文献１に開示されている。この特許文献１では、被写体の撮影時に当該被写体の顔を検出すると、先ず検出した顔に焦点を自動的に合わせ、設定された焦点を固定し、その後被写体が動くことにより、被写体の撮影位置が変化すると、固定した焦点を解除するものである。
【先行技術文献】
【特許文献】
【０００３】
【特許文献１】特開２００９−１７１３０１号公報
【発明の概要】
【発明が解決しようとする課題】
【０００４】
上記の特許文献１では、例えば、被写体の撮影位置が中央付近である場合に、先ずその位置での焦点合わせが行われ、その後、シャッターを押下する前に、カメラの向きを変える、つまりは撮影方向を変えることで撮影位置が中央付近から右へ移動すると固定された焦点が解除される。そうすると、撮影位置が右にずれた位置で再度顔認識がなされ、再度の焦点合わせが行われることなる。そのため、撮影方向を変えることで撮影可能な画像フレーム内において被写体が移動する度に焦点合わせが行われることは、ユーザに不快感を感じさせることになる。なぜなら、焦点合わせが撮影方向を変える度に行われると、その度に焦点合わせが完了するまでシャッター押下することができないし、また仮に焦点合わせが行われている最中にシャッターを押下してしまうと保存される画像はピントが合っていないものとなるからである。
【０００５】
また、集合写真など複数の人物を被写体として撮影する場合では、ある人物の顔を検出して焦点合わせがされたとしても、カメラの移動などにより焦点合わせがされた顔とは別の顔が検出されると、再度検出された別の顔に対して再度焦点合わせが実行されてしまう。
このような場合では、度々焦点合わせが実行され、ユーザの利便性を低下させることも有り得る。
【０００６】
そこで、本発明は、ユーザの利便性を向上させた撮影を行うことのできる端末装置を提供することを目的とする。
【課題を解決するための手段】
【０００７】
上記目的を達成するために、本発明は、端末装置であって、画像から人物の顔を検出する顔検出部と、焦点合わせを行う合焦機構と、前記合焦機構の制御を行う制御部とを備え、前記制御部は、前記顔検出部の検出動作により顔が検出されていない状態から検出された状態になると前記合焦機構に対して焦点合わせを行うよう制御し、当該焦点合わせ後において前記顔検出部で顔が検出されなくなるまでは前記合焦機構に対して焦点合わせを抑止するよう制御することを特徴とする。
【発明の効果】
【０００８】
上記の構成によると、端末装置は、顔検出部で顔が検出されてから顔が未検出状態となるまでの間は焦点合わせの動作を抑止する。これにより、ユーザは、ユーザの利便性を向上させた撮影を行うことができる。
【図面の簡単な説明】
【０００９】
【図１】携帯電話機１０の外観を示す図である。
【図２】携帯電話機１０において、通常撮影及び笑顔撮影の撮影機能に係る構成要素を示すブロック図である。
【図３】通常撮影時における携帯電話機１０の処理の流れを示す流れ図である。
【図４】笑顔撮影時における携帯電話機１０の処理の流れを示す流れ図である。
【図５】通常撮影時において、画像が保存されるまでの処理の遷移の一例を示す図である。
【図６】笑顔撮影時において、画像が保存されるまでの処理の遷移の一例を示す図である。
【発明を実施するための形態】
【００１０】
１．第１の実施の形態
以下、本発明に係る端末装置の一実施形態である携帯電話機について説明する。
１．１  概要
端末装置は、例えば、カメラ付携帯電話機であり、その外観について図１を参照しつつ説明する。図１（ａ）は、本実施の形態における携帯電話機１０の閉状態の斜視図であり、（ｂ）は開状態の斜視図である。また、図１（ｃ）は、携帯電話機１０の開状態における背面図である。
【００１１】
携帯電話機１０は筐体１１、１２を備えており、携帯電話機１０は筐体１２に対して筐体１１をスライドさせることで、開閉ができるように構成されている。
筐体１１には、液晶ディスプレイ（以下、ＬＣＤ（Ｌｉｑｕｉｄ  Ｃｒｙｓｔａｌ  Ｍｏｎｉｔｏｒ））などで構成された表示部１０６とスピーカ部１３とが配置されている。
筐体１２には、マイクロフォン１４とキー操作部１５とが配置されている。また、筐体１２の側面にはキー操作部１６、１７が配置され、背面には、カメラレンズ２０が配置されている。
【００１２】
携帯電話機１０は、カメラ撮影時には、カメラレンズ２０に写った被写体を表示部１０６で表示し、例えば、キー操作部１６が押下されることで、撮影を行う。
携帯電話機１０は、顔検出機能を備えており、撮影時に顔を検出すると、焦点合わせを行う。その後、顔が検出され続けている間は、携帯電話機１０は、焦点合わせを行わない。そして、顔が検出されなくなった後に再度顔が検出されると、携帯電話機１０は、再度焦点合わせを行う。
【００１３】
また、携帯電話機１０のよる撮影には、通常撮影と笑顔撮影とがある。通常撮影とは、キー操作部１６の押下により撮影が行われることである。笑顔撮影とは、顔検出機能により顔が検出されると、検出された顔から笑顔であることを検出すると自動的に撮影を行う、つまり笑顔検出時の画像を自動に保存することである。
以下において、通常撮影及び笑顔撮影における焦点合わせに係る機能について説明する。
【００１４】
１．２  構成
ここでは、携帯電話機１０の通常撮影及び笑顔撮影における焦点合わせに係る機能に係る構成について説明する。
携帯電話機１０は、図２で示すように、画像記憶部１０１、撮影機構１０２、顔検出部１０３、笑顔検出部１０４、制御部１０５、表示部１０６及びユーザ操作部１０７から構成されている。
【００１５】
なお、携帯電話機１０は、図２においては通常撮影及び笑顔撮影における焦点合わせに係る機能に係る構成要素だけを示しているが、その他撮影機能に係る構成要素及び通信機能に係る構成要素など、携帯電話機としての機能を実現する構成要素を備えている。
（１）画像記憶部１０１
画像記憶部１０１は、通常撮影及び笑顔撮影の機能により撮影された画像を記憶する領域を有している。
【００１６】
（２）撮影機構１０２
撮影機構１０２は、カメラレンズ２０と、焦点合わせ、ズーム及び絞り・シャッターを行う機構とを備えており、これらの機構の動作により撮影が行われる。
焦点合わせを行う機構は、カメラレンズ２０により写された（撮影された）被写体において、後述する顔検出部１０３で検出された顔に基づいて焦点合わせを行う。具体的には、検出された顔の領域の中心位置に対してパッシブ方式による距離測定を行う。ここで、ここで、パッシブ方式とは、自然光を用いて測距する方式であり、焦点距離を無限遠からマクロ（例えば、１０ｃｍ）まで段階的に変更させ、最適な焦点距離を求める方式である。そして、撮影機構１０２は、パッシブ方式で測定された複数の焦点距離のうち、検出された顔が最も鮮明となる焦点距離を特定する。
【００１７】
（３）顔検出部１０３
顔検出部１０３は、カメラレンズ２０により写された被写体から人の顔を検出するものである。具体的には、顔検出部１０３は、人物の顔のサンプル画像を予め記憶しており、カメラレンズ２０で写された被写体とのマッチング処理を行うことで、顔を検出する。
なお、顔検出については、既知の技術であるので、ここでの詳細な説明は省略する。
【００１８】
また、本実施の形態においては、顔検出部１０３は、最大４人の顔検出が可能であるものとし、通常撮影時及び笑顔撮影時の何れにおいても撮影機構１０２の動作に関わらず顔検出の処理を行っているものとする。
（４）笑顔検出部１０４
笑顔検出部１０４は、笑顔撮影時に動作し、顔検出部１０３で検出された顔の笑顔度を検出するものである。具体的には、笑顔検出部１０４は、笑顔の特徴部位（例えば、目尻、目頭、口元等）のサンプル画像を予め記憶している。笑顔検出部１０４は、顔検出部１０３で検出された顔の位置に基づいて、撮影された顔の位置を特定する。そして、笑顔検出部１０４は、笑顔の特徴部位のサンプル画像と特定した顔における対象部位とのマッチング処理を行い、一致度（笑顔度）を取得する。ここで、笑顔度は、０から１００までの整数の何れかが設定される。例えば、笑顔の数値が高いほど、被写体である人物が笑顔であり、笑顔度が１００でる場合には満面の笑顔となっている。
【００１９】
なお、笑顔検出部１０４は、顔検出部１０３で複数の顔が検出された場合には、検出された顔毎に笑顔度を取得する。
（５）制御部１０５
制御部１０５は、携帯電話機１０における動作全体の制御を行うものである。
ここでは、通常撮影時における機能と笑顔撮影時における機能とについて説明する。
【００２０】
（５−１）通常撮影時
制御部１０５は、顔検出部１０３で顔が検出されているか否かを監視する。そして、制御部１０５は、監視フラグを用いて撮影機構１０２における焦点合わせの機構の動作を制御する。ここで、監視フラグとは、顔検出部１０３で顔が検出されているか否かを示す値であり、値“０”は未検出であることを示し、値“１”は検出中であることを示すものである。
【００２１】
制御部１０５は、監視フラグの値が０である場合に顔検出部１０３で顔が検出されたことを検知すると値を１へと変更するとともに、撮影機構１０２に対して焦点合わせを行うよう制御する。
制御部１０５は、監視フラグの値が１である間、つまり顔検出部１０３で顔が検出されている間は、撮影機構１０２に対して焦点合わせの動作を抑止するよう制御する。
【００２２】
また、制御部１０５は、監視フラグの値が１である場合に顔検出部１０３で顔が検出されなくなったことを検知すると値を０へと変更する。
さらに、制御部１０５は、ユーザ操作によりキー操作部１６が押下されると（シャッターが押下されると）、その時点でカメラレンズ２０により写された画像を画像記憶部１０１へ保存する。
【００２３】
なお、制御部１０５は、カメラ起動時には監視フラグの値を０に設定し、画像を画像記憶部１０１に保存すると値は０へリセットする。
ここで、制御部１０５は、顔検出部１０３で顔検出数の増減に関係なく少なくとも１つ以上の顔が検出されている間、つまり顔の検出数が０とならない限り、顔が検出されている状態と判定し、監視フラグは１のままとする。
【００２４】
（５−２）笑顔撮影時
制御部１０５は、顔検出部１０３で顔が検出されているか否かを監視する。検出状況に応じて、撮影機構１０２の焦点合わせの動作を制御する。笑顔撮影時においても、通常撮影時と同様に監視フラグを用いて撮影機構１０２の焦点合わせの動作を制御する。なお、監視フラグを用いた焦点合わせの動作の制御については上述しているので、ここでの説明は省略する。
【００２５】
制御部１０５は、笑顔撮影時においては、笑顔検出部１０４で取得された笑顔度が所定の閾値（例えば、４５）以上である場合に、その時点でカメラレンズ２０により写された画像を画像記憶部１０１へ保存する。つまり、自動的にシャッターが押下され、その時点での画像が保存される。なお、本実施の形態では、複数の顔が検出された場合にはそのうちの１人の笑顔が所定の閾値以上であれば自動的にシャッターが押下されるものとする。
【００２６】
（６）表示部１０６
表示部１０６は、撮影前において、カメラレンズ２０に写った（撮影された）被写体を表示する。このとき、顔検出部１０３で顔が検出されると、検出された顔を囲む枠をも表示する。
（７）ユーザ操作部１０７
ユーザ操作部１０７は、キー操作部１５、１６、１７を含むものであり、ユーザによる操作指示を受け付ける機能を有している。具体的には、通常撮影時における画像の保存指示（キー操作部１６の押下）を受け付ける。また、通常撮影と笑顔撮影との切り替え指示をも受け付ける。
【００２７】
１．３  動作
ここでは、携帯電話機１０における通常撮影と笑顔撮影とに係る動作について説明する。
（１）通常撮影時の動作
先ず、通常撮影時の動作について、図３で示す流れ図を用いて説明する。
【００２８】
顔検出部１０３は、カメラレンズ２０に写った（撮影された）被写体から顔を検出する（ステップＳ５）。
顔検出部１０３で顔が検出されると、撮影機構１０２の焦点合わせ機構は、検出された顔に基づいて焦点合わせを行う（ステップＳ１０）。具体的には、制御部１０５が、監視フラグが０である場合に顔検出部１０３で顔が検出されたことを検知すると、撮影機構１０２に対して焦点合わせの動作を行うよう制御する。
【００２９】
制御部１０５は、シャッターが押下、つまりキー操作部１６が押下されたか否かを判断する（ステップＳ１５）。
キー操作部１６が押下されたと判断する場合（ステップＳ１５における「Ｙｅｓ」）、制御部１０５は、その時点でカメラレンズ２０により写された画像を画像記憶部１０１へ保存する（ステップＳ３０）。
【００３０】
キー操作部１６が押下されていないと判断する場合（ステップＳ１５における「Ｎｏ」）、制御部１０５は、顔検出部１０３で顔が検出されているか否かを判断する（ステップＳ２０）。顔検出部１０３で顔が検出されていると判断する場合（ステップＳ２０における「Ｙｅｓ」）、処理はステップＳ１５へ戻る。顔検出部１０３で顔が検出されていないと判断する場合（ステップＳ２０における「Ｎｏ」）、制御部１０５は、顔検出部１０３で顔が再検出されたか否かを判断する（ステップＳ２５）。再検出されたと判断する場合（ステップＳ２５における「Ｙｅｓ」）、処理はステップＳ１０へ戻る。また、再検出されていないと判断する場合（ステップＳ２５における「Ｎｏ」）、処理はステップＳ１５へ戻る。
【００３１】
これによると、カメラ機能による通常撮影を行う際、被写体の顔を一旦検出すると、顔が検出されてから未検出状態となるまでの間は、ステップＳ１０で設定された焦点は固定され、再度の検出で、焦点合わせも再度行われることとなる。そして、顔が検出されている間は被写体の動きに関わらず、一旦固定された焦点でシャッターが押下され、その時点での画像が保存される。
【００３２】
（２）笑顔撮影時の動作
先ず、笑顔撮影時の動作について、図４で示す流れ図を用いて説明する。
顔検出部１０３は、カメラレンズ２０に写った（撮影された）被写体から顔を検出する（ステップＳ１００）。
顔検出部１０３で顔が検出されると、撮影機構１０２の焦点合わせ機構は、検出された顔に基づいて焦点合わせを行う（ステップＳ１０５）。具体的には、制御部１０５が、監視フラグが０である場合に顔検出部１０３で顔が検出されたことを検知すると、撮影機構１０２に対して焦点合わせの動作を行うよう制御する。
【００３３】
笑顔検出部１０４は、検出された顔に対する笑顔度を取得する（ステップＳ１１０）。このとき、顔検出部１０３で複数の顔が検出されると、笑顔検出部１０４は、検出された顔毎に笑顔度を取得する。
制御部１０５は、所定の閾値以上である笑顔度が存在するか否かを判断する（ステップＳ１１５）。
【００３４】
所定の閾値以上である笑顔度が存在すると判断する場合（ステップＳ１１５における「Ｙｅｓ」）、制御部１０５は、その時点でカメラレンズ２０により写された画像を画像記憶部１０１へ保存する（ステップＳ１３０）。
所定の閾値以上である笑顔度が存在しないと判断する場合（ステップＳ１１５における「Ｎｏ」）、制御部１０５は、顔検出部１０３で顔が検出されているか否かを判断する（ステップＳ１２０）。顔検出部１０３で顔が検出されていると判断する場合（ステップＳ１２０における「Ｙｅｓ」）、処理はステップＳ１１０へ戻る。顔検出部１０３で顔が検出されていないと判断する場合（ステップＳ１２０における「Ｎｏ」）、制御部１０５は、顔検出部１０３で顔が再検出されるのを待つ（ステップＳ１２５）。具体的には、制御部１０５は、顔検出部１０３で顔が再検出されない間は（ステップＳ１２５における「Ｎｏ」）、処理はステップＳ１２５を繰り返す。顔検出部１０３で顔が再検出されると（ステップＳ１２５における「Ｙｅｓ」）、処理はステップＳ１０５へ戻る。
【００３５】
これによると、カメラ機能による笑顔撮影を行う際、被写体の顔を一旦検出すると、顔が検出されてから未検出状態となるまでの間は、ステップＳ１０５で設定された焦点は固定され、再度の検出で、焦点合わせも再度行われることとなる。そして、顔が検出されている間は被写体の動きに関わらず、笑顔度が所定の閾値以上である顔が存在する（検出された）場合には一旦固定された焦点で自動的にシャッターが押下され、その時点での画像が保存される。
【００３６】
１．４  具体例
ここでは、具体例を用いて、顔検出時から画像が保存されるまでの間における処理の遷移について説明する。
（１）通常撮影の場合
ここでは、通常撮影時において、検出時から画像が保存されるまでの間に表示部１０６で表示される画面の遷移に基づいて、処理の遷移を図５を用いて説明する。
【００３７】
カメラ機能が起動されると（画面Ｄ１０１を参照）、その後、顔検出部１０３による顔検出が行われ、そして画像Ｄ１０２に示すように顔が検出されると、焦点合わせが行われ、検出された顔は、画像Ｄ１０３で示すように枠Ｆ１００、Ｆ１０１が付されて表示される。
その後、シャッターの押下（キー操作部１６の押下）がなされると、その時点の画像が保存される（画像Ｄ１０４を参照）。
【００３８】
画像Ｄ１０３が表示された後、シャッターが押下されない状態であって、１つ以上の顔が検出されている、つまり顔の検出が継続している場合には、焦点合わせを行うことなく、画像Ｄ１０５で示すように検出されている顔は枠Ｆ１０２が付される。そして、画像Ｄ１０５が表示されている状態で、シャッターの押下（キー操作部１６の押下）がなされると、その時点の画像が保存される（画像Ｄ１０６を参照）。
【００３９】
画像Ｄ１０３が表示された後、撮影方向を変更することで、未検出状態及び再度顔が検出状態へと撮影状態が変化すると（画像Ｄ１０７、Ｄ１０８を参照）、再度焦点合わせが行われ、再検出された顔は、画像Ｄ１０９で示すように枠Ｆ１０３が付されて表示される。そして、画像Ｄ１０９が表示されている状態で、シャッターの押下（キー操作部１６の押下）がなされると、その時点の画像が保存される（画像Ｄ１１０を参照）。
【００４０】
以上、図５を用いて説明したように、顔が検出されていない状態から最初に顔が検出されると焦点合わせの動作が行われ、その後顔が検出され続けている間は、被写体の動きに関わらず焦点合わせは行われないことが分かる。また、一旦焦点合わせが行われると、顔が検出され続けている場合には被写体の動きに関わらず設定された焦点で撮影された画像が保存される。
【００４１】
なお、図５に示す画像Ｄ１０３から画像Ｄ１０５の遷移、つまり顔検出中での画像の遷移は、一例として顔の検出数が２から１へと変化した場合ものを用いたが、検出数が増える場合も同様に焦点合わせは行われない。
（２）笑顔撮影の場合
ここでは、笑顔撮影時において、検出時から画像が保存されるまでの間に表示部１０６で表示される画面の遷移に基づいて、処理の遷移を図６を用いて説明する。
【００４２】
カメラ機能が起動されると（画面Ｄ２０１を参照）、その後、顔検出部１０３による顔検出が行われ、そして画像Ｄ２０２に示すように顔が検出されると、焦点合わせが行われ、検出された顔は、画像Ｄ２０３で示すように枠Ｆ２００、Ｆ２０１が付されて表示される。
その後、所定の閾値以上である笑顔度の笑顔が検出されると、その時点の画像が保存される（画像Ｄ２０４を参照）。
【００４３】
画像Ｄ２０３が表示された後、笑顔が検出されない状態であって、１つ以上の顔が検出されている、つまり顔の検出が継続している場合には、焦点合わせを行うことなく、画像Ｄ２０５で示すように検出されている顔は枠Ｆ２０２が付される。そして、画像Ｄ２０５が表示されている状態で、所定の閾値以上である笑顔度の笑顔が検出されると、その時点の画像が保存される（画像Ｄ２０６を参照）。
【００４４】
画像Ｄ２０３が表示された後、撮影方向を変更することで、未検出状態及び再度顔が検出状態へと撮影状態が変化すると（画像Ｄ２０７、Ｄ２０８を参照）、再度焦点合わせが行われ、再検出された顔は画像Ｄ２０９で示すように枠Ｆ２０３が付されて表示される。そして、画像Ｄ２０９が表示されている状態で、所定の閾値以上である笑顔度の笑顔が検出されると、その時点の画像が保存される（画像Ｄ２１０を参照）。
【００４５】
以上、図６を用いて説明したように、顔が検出されていない状態から最初に顔が検出されると焦点合わせの動作が行われ、その後顔が検出され続けている間は、被写体の動きに関わらず焦点合わせは行われないことが分かる。また、一旦焦点合わせが行われると、顔が検出され続けている場合には被写体の動きに関わらず、所定の閾値以上である笑顔度の笑顔が検出されると設定された焦点で撮影された画像が保存される。
【００４６】
なお、図６に示す画像Ｄ２０３から画像Ｄ２０５の遷移、つまり顔検出中での画像の遷移は、一例として顔の検出数が２から１へと変化した場合ものを用いたが、検出数が増える場合も同様に焦点合わせは行われない。
１．５  変形例
以上、実施の形態及び変形例に基づいて説明したが、本発明は上記の実施の形態及び変形例に限られない。例えば、以下のような変形例が考えられる。
【００４７】
（１）上記実施の形態において、笑顔撮影を行う際に、自動的に画像が保存されるための笑顔度の閾値を４５としたが、これに限定されない。
笑顔度の閾値は他の値であってもよい。
（２）上記実施の形態において、顔検出は最大４人としたが、これに限定されない。
顔検出の最大数は、５以上であってもよい。
【００４８】
（３）上記実施の形態において、携帯電話機１０はスライド式のものであるとしたが、これに限定されない。携帯電話機１０の形状は、折りたたみ式のものであってもよいし、ストレートタイプのものであってもよい。つまり、携帯電話機１０の形状は、カメラ機能が備わっているものであれば、どのようなものであってもよい。
（４）上記実施の形態において、焦点合わせがなされた後の再焦点合わせは、顔が未検出状態となった後再度顔が検出された場合としたが、これに限定されない。
【００４９】
ユーザの操作によって、一旦設定された焦点を解除して、再焦点合わせを行ってもよい。
（５）上記実施の形態において、焦点合わせは、パッシブ方式で行うこととしたが、これに限定されない。
焦点合わせは、アクティブ方式であってもよい。
【００５０】
（６）上記実施の形態及び上記変形例をそれぞれ組み合わせるとしてもよい。
１．６  補足
（１）本発明の一態様である、  端末装置は、画像から人物の顔を検出する顔検出部と、焦点合わせを行う合焦機構と、前記合焦機構の制御を行う制御部とを備え、前記制御部は、前記顔検出部の検出動作により顔が検出されていない状態から検出された状態になると前記合焦機構に対して焦点合わせを行うよう制御し、当該焦点合わせ後において前記顔検出部で顔が検出されなくなるまでは前記合焦機構に対して焦点合わせを抑止するよう制御することを特徴とする。
【００５１】
この構成によると、端末装置は、顔検出部で顔が検出されてから顔が未検出状態となるまでの間は焦点合わせの動作を抑止する。これにより、ユーザは、ユーザの利便性を向上させた撮影を行うことができる。
（２）ここで、前記合焦機構は、前記制御部から焦点合わせの指示を受け付けると、顔検出部で検出された顔に対する焦点距離を変更しながら、当該顔の鮮明さが最適となる焦点距離を特定するとしてもよい。
【００５２】
この構成によると、端末装置は、検出された顔の鮮明さが最適となる焦点距離を特定するので、鮮明な被写体の画像を生成することができる。
（３）ここで、  前記端末装置は、さらに、前記顔検出部で検出された一の顔に対して笑顔を検出する笑顔検出部を備え、前記制御部は、さらに、前記合焦機構による焦点合わせがなされた後、前記笑顔検出部で前記一の顔に対する笑顔が検出されると、笑顔が検出された画像を所定の記憶領域に保存するとしてもよい。
【００５３】
この構成によると、端末装置は、焦点合わせを行った後、笑顔が検出されると、検出された笑顔の画像を保存するので、被写体の最良の表情の画像を保存することができる。
（４）ここで、前記顔検出部は、前記画像中の少なくとも１つ以上の顔を検出し、前記制御部は、前記顔検出部により少なくとも１つ以上の顔が検出されている場合に、前記顔が検出されている状態と判定するとしてもよい。
【００５４】
この構成によると、端末装置の制御部は、顔検出部により少なくとも１つ以上の顔が検出されている場合に、顔が検出されている状態であると判定するので、顔検出の対象、個数が変化した場合でも顔が検出されている状態を継続することができ、複数人を被写体として撮影するときでも、ユーザの利便性を向上させることができる。
【産業上の利用可能性】
【００５５】
本発明は、カメラ機能を有する端末装置に有用である。
【符号の説明】
【００５６】
１０    携帯電話機
１１、１２    筐体
１３    スピーカ部
１４    マイクロフォン
１５、１６、１７    キー操作部
２０    カメラレンズ
１０１    画像記憶部
１０２    撮影機構
１０３    顔検出部
１０４    笑顔検出部
１０５    制御部
１０６    表示部
１０７    ユーザ操作部
【図１】
2011234015.tif 000003
【図２】
2011234015.tif 000004
【図３】
2011234015.tif 000005
【図４】
2011234015.tif 000006
【図５】
2011234015.tif 000007
【図６】
2011234015.tif 000008